(57)【要約】      （修正有）【課題】小型で、且つ、ノイズの影響が小さい無線式電源制御ユニットを提供する。【解決手段】無線式電源制御ユニット１は、第１電源が供給される入力端子３５０と、第２電源が供給される出力端子３６０と、第１電源を第３電源へと変換する電源回路が実装された第１プリント回路基板３００と、第３電源に基づく電源によって動作し、制御信号を受信し該制御信号に基づいて入力端子と出力端子との間における電源線の電気的な接続及び切断の制御を行う制御回路が実装された第２プリント回路基板４００と、第１ケース１００及び第２ケース２００と、を備え、第２プリント回路基板は第２ケース底部２１０寄りに配置され、第１プリント回路基板は第１ケース底部１１０寄りに配置され、第２プリント回路基板の第２ケース底部側の表面に、制御回路を構成するデバイスが配置され、第２ケース底部側とは反対の側に、電源回路を構成するデバイスが配置されている。【選択図】図５
0003206882.tif 000002
【実用新案登録請求の範囲】
【請求項１】
無線により外部から送信された制御信号を受信し、該制御信号に基づいて入力端子と出力端子との間における電源線の電気的な接続及び切断を行う無線式電源制御ユニットであって、  
外部から第１電源が供給される前記入力端子と、
外部の負荷に接続される接続点であり、第２電源が供給される前記出力端子と、
前記第１電源を制御回路に用いられる第３電源へと変換する電源回路が実装された第１プリント回路基板と、
前記第３電源に基づく電源によって動作し、前記制御信号を受信し該制御信号に基づいて前記入力端子と前記出力端子との間における電源線の電気的な接続及び切断の制御を行う前記制御回路が実装された第２プリント回路基板と、
前記入力端子、前記出力端子、前記第１プリント回路基板及び前記第２プリント回路基板を囲った第１ケース及び第２ケースと、を備え、
前記第２プリント回路基板は第２ケース底部寄りに第２ケース内底面に対向するようにして配置され、
前記第１プリント回路基板は第１ケース底部寄りに配置され、
前記第２プリント回路基板の表面のうち前記第２ケース底部側の表面に、前記制御回路を構成するデバイスが配置され、
前記第２プリント回路基板の前記第２ケース底部側とは反対の側に、前記電源回路を構成するデバイスが配置されていることを特徴とする無線式電源制御ユニット。
【請求項２】
請求項１に記載の無線式電源制御ユニットにおいて、
電波を主に取り込む側を正面側とし、該正面側とは反対の側を背面側としたとき、前記第２ケースは正面側に配置され、且つ、前記第１ケースは背面側に配置されており、
前記第２プリント回路基板は、背面側の表面配線層又は内部配線層において、ベタに形成されたＧＮＤパターンを有することを特徴とする無線式電源制御ユニット。
【請求項３】
請求項１又は２に記載の無線式電源制御ユニットにおいて、
電波を主に取り込む側を正面側とし、該正面とは反対の側を背面側としたとき、前記第２ケースは正面側に配置され、且つ、前記第１ケースは背面側に配置されており、
第２ケースのうち少なくとも第２ケース底部は、非導電性部材によって構成されており、
前記第２プリント回路基板の表面のうち正面側の表面に、電波を捕捉するアンテナが実装されていることを特徴とする無線式電源制御ユニット。
【請求項４】
請求項１〜３のいずれかに記載の無線式電源制御ユニットにおいて、
前記第１プリント回路基板及び前記第２プリント回路基板は平行に配置されており、
前記第１ケース内底面と前記第２ケース内底面との間の距離をＤ１としたときに、
前記第１プリント回路基板の前記第１ケース底部側の面と前記第１ケース内底面との間の距離は、Ｄ１の０．０５倍〜０．１５倍の範囲内にあり、且つ、前記第２プリント回路基板の前記第２ケース底部側の面と前記第２ケース内底面との間の距離は、Ｄ１の０．０５倍〜０．１５倍の範囲内にあることを特徴とする無線式電源制御ユニット。
【請求項５】
請求項１〜４のいずれかに記載の無線式電源制御ユニットにおいて、
前記第１プリント回路基板及び前記第２プリント回路基板は平行に配置されており、
前記第１プリント回路基板と前記第２プリント回路基板との間隔をＧ１とし、前記電源回路を構成するデバイスの内、最も高さが大きいデバイスの高さをＨ１とすると、Ｈ１は、Ｇ１の０．９５倍よりも小さいことを特徴とする無線式電源制御ユニット。
【請求項６】
請求項１〜５のいずれかに記載の無線式電源制御ユニットにおいて、
前記電源回路を構成するデバイスにトランスが含まれることを特徴とする無線式電源制御ユニット。
【請求項７】
請求項１〜６のいずれかに記載の無線式電源制御ユニットにおいて、
前記第２ケースには、第２ケース本体から突出して形成されたユニット取付部であって、前記無線式電源制御ユニットを外部に固定するための前記ユニット取付部が設けられていることを特徴とする無線式電源制御ユニット。
【請求項８】
請求項７に記載の無線式電源制御ユニットにおいて、
前記第２ケース本体の正面側の外面は、前記ユニット取付部の正面側の外面よりも、正面側に突出していることを特徴とする無線式電源制御ユニット。
【請求項９】
請求項１〜８のいずれかに記載の無線式電源制御ユニットにおいて、
前記第１ケース内底面と前記第２ケース内底面との間に支柱が配置されていることを特徴とする無線式電源制御ユニット。
【請求項１０】
請求項９に記載の無線式電源制御ユニットにおいて、
少なくとも前記第１プリント回路基板又は前記第２プリント回路基板のいずれかに貫通穴が設けられ、前記支柱は前記貫通穴を貫通していることを特徴とする無線式電源制御ユニット。
【請求項１１】
請求項１〜１０のいずれかに記載の無線式電源制御ユニットにおいて、
前記制御信号は、ＥｎＯｃｅａｎ規格による無線によって送信される信号であることを特徴とする無線式電源制御ユニット。
【請求項１２】
請求項１〜１１のいずれかに記載の無線式電源制御ユニットと、
前記無線式電源制御ユニットの前記入力端子と前記出力端子との間における前記電源線の電気的な接続及び切断に関する前記制御信号を、無線により外部に送信する制御信号送信ユニットと、を備え、
前記制御信号送信ユニットは、センサによる検出情報に基づいて前記制御信号を生成し、該制御信号を送信することを特徴とする無線式電源制御システム。
【考案の詳細な説明】
【技術分野】
【０００１】
本考案は、無線式電源制御ユニット及び無線式電源制御システムに関する。
【背景技術】
【０００２】
従来より、無線を用いて電源のオン／オフ制御を行う無線式電源制御ユニットが提案されている（例えば、特許文献１参照。）。
従来の無線式電源制御ユニットは、特許文献１の図６及び図７に示されているように、送信側のユニットから出力された信号を受け、送信側で予め設定された内容（ＩＤ設定スイッチ２０、オン及びオフ状態設定スイッチ２２，２３により設定された内容。）に基づいて商用交流電源のオン／オフ制御を行う。
【先行技術文献】
【特許文献】
【０００３】
【特許文献１】特開２００６−８０５９２号公報
【特許文献２】特開２０１３−３４２７２号公報
【考案の開示】
【考案が解決しようとする課題】
【０００４】
無線式電源制御ユニット（以下、単に「ユニット」ということがある。）を壁に埋め込めるよう構成する場合、ユニットのサイズはできる限り小型であることが望ましい。例えば、無線式電源制御ユニットを、一般に流通している壁埋め込み型照明スイッチの代替えとして壁に埋め込む場合、当該ユニットは、少なくとも、既存の壁埋め込み型照明スイッチの収容スペースに収容できる程度に小型である必要がある（収容スペースの制約。小型化の要請。）。
【０００５】
ところで、無線式電源制御ユニットを構成する上では、制御回路を動作させるために直流電源を準備する必要がある。
直流電源を生成する電源回路において、スイッチング電源の導入を検討することができる。スイッチング電源は、同じ出力電力（定格）で比較するとトランスよりも小型であるため、上記小型化の要請に応えることができ、壁埋め込み用の無線式電源制御ユニットに適したデバイスであるかとも思える。
しかし、スイッチング電源は、その原理上、ノイズ（特に高周波のノイズ）を発生しやすいという課題がある。
参考までに、無線式電源制御ユニットには、ノイズに対して感受性の高い回路（アンテナ、電波の受信に関するアナログを中心とした回路、低電圧で動作するマイコン等のデバイスを含んだ回路他。本明細書ではこれらを包括的に「制御回路」と呼ぶこととする。）が含まれており、無線式電源制御ユニットを構成する上では、ノイズに対する配慮が必要となる。
こうしたことから、無線式電源制御ユニットにはスイッチング電源を導入しづらい状況にある。
【０００６】
一方、スイッチング電源の代わりにトランスを導入することも検討できる。トランスは、スイッチング電源ほどノイズ発生の問題は大きくないため、ノイズに対する配慮の点ではスイッチング電源より有利なデバイスである。
しかし、トランスは上記したようにスイッチング電源よりも大型であることから、上記したような収容スペースの制約・小型化要請の下にあって、トランスをどの様にユニット内部へ格納・実装するかという課題が改めて生ずる。
トランスを備えた装置の実装構造としては、例えば、比較的細かい異型部品を第１空間に配置し、該第１空間と並行してトランス等の比較的大きな部品を第２空間に配置する、といった並行配置の技術が提案されている（特許文献２の図２、図４、［０００７］段落等を参照。）。
ところが、特許文献２に記載された技術によれば、平面的に大きな面積を必要とするため、無線式電源制御ユニットが平面的に大型化してしまい、結局、無線式電源制御ユニットを所与の埋め込みスペースに収容することができない。仮に、所与のサイズにユニット化（総てのデバイスをケース内に実装）できたとしても、実装されるデバイスの集積度が高くなり、電源回路及び制御回路が互いに接近するため、逆にノイズ問題が発生しやすい方向に振れてしまう。
【０００７】
そこで、本考案は上記事情に鑑みてなされたものであり、小型で、且つ、ノイズの影響が小さい無線式電源制御ユニットを提供することを目的とする。また、本考案の無線式電源制御ユニットを備える無線式電源制御システムを提供することを目的とする。
【課題を解決するための手段】
【０００８】
［１］本考案の無線式電源制御ユニットは、無線により外部から送信された制御信号を受信し、該制御信号に基づいて入力端子と出力端子との間における電源線の電気的な接続及び切断を行う無線式電源制御ユニットであって、外部から第１電源が供給される前記入力端子と、外部の負荷に接続される接続点であり、第２電源が供給される前記出力端子と、前記第１電源を制御回路に用いられる第３電源へと変換する電源回路が実装された第１プリント回路基板と、前記第３電源に基づく電源によって動作し、前記制御信号を受信し該制御信号に基づいて前記入力端子と前記出力端子との間における電源線の電気的な接続及び切断の制御を行う前記制御回路が実装された第２プリント回路基板と、前記入力端子、前記出力端子、前記第１プリント回路基板及び前記第２プリント回路基板を囲った第１ケース及び第２ケースと、を備え、前記第２プリント回路基板は第２ケース底部寄りに第２ケース内底面に対向するようにして配置され、前記第１プリント回路基板は第１ケース底部寄りに配置され、前記第２プリント回路基板の表面のうち前記第２ケース底部側の表面に、前記制御回路を構成するデバイスが配置され、前記第２プリント回路基板の前記第２ケース底部側とは反対の側に、前記電源回路を構成するデバイスが配置されていることを特徴とする。
【０００９】
このような構成によれば、第２プリント回路基板が第２ケース底部寄りに配置され、第１プリント回路基板が第１ケース底部寄りに配置されるため、第２プリント回路基板の第２ケース底部側とは反対の側に比較的大きな空間を確保することができる。この空間を有効活用することにより、第１ケース及び第２ケースによって構成される筐体を特段大型化することなく、電源回路を構成する比較的大型なデバイス（トランス、リレー等）を無線式電源制御ユニット内に格納することができる。
また、第２プリント回路基板の表面のうち第２ケース底部側の表面に、制御回路を構成するデバイスが配置され、且つ、第２プリント回路基板の第２ケース底部側とは反対の側に、電源回路を構成するデバイスが配置されているため、ノイズに対して感受性の高い制御回路を、ノイズの発生源となりやすい電源回路のデバイスから、第２プリント回路基板を挟んで遠ざける（又は隔離する。）ことができる。
このようにして、本考案の無線式電源制御ユニットによれば、小型で、且つ、ノイズの影響が小さい無線式電源制御ユニットを提供することができる。
【００１０】
［２］本考案の無線式電源制御ユニットにおいては、電波を主に取り込む側を正面側とし、該正面側とは反対の側を背面側としたとき、前記第２ケースは正面側に配置され、且つ、前記第１ケースは背面側に配置されており、前記第２プリント回路基板は、背面側の表面配線層又は内部配線層において、ベタに形成されたＧＮＤパターンを有することが好ましい。
【００１１】
このような構成によれば、制御回路が実装された第２プリント回路基板において、背面側の表面配線層又は内部配線層においてベタに形成されたＧＮＤパターンを有するため、ＧＮＤ電位の安定化を図ることができ制御回路のノイズ耐性を高めることができる。
また、ベタに形成されたＧＮＤパターンは電磁シールドとしても機能させることができるため、電源回路側から制御回路側へのノイズ伝搬を低減又は遮断することが期待できる。
【００１２】
［３］本考案の無線式電源制御ユニットにおいては、電波を主に取り込む側を正面側とし、該正面とは反対の側を背面側としたとき、前記第２ケースは正面側に配置され、且つ、前記第１ケースは背面側に配置されており、第２ケースのうち少なくとも第２ケース底部は、非導電性部材によって構成されており、前記第２プリント回路基板の表面のうち正面側の表面に、電波を捕捉するアンテナが実装されていることが好ましい。
【００１３】
このような構成によれば、内部にアンテナが実装されているため、外付けアンテナが不要となり、無線式電源制御ユニットを用いた無線式電源制御システム全体の小型化を図ることができる。また、アンテナ外付けの工事も不要となり、無線式電源制御ユニットの導入・設置も容易となる。
さらに、アンテナは、第２プリント回路基板の表面のうち正面側の表面（この実装面は、電源回路のデバイスからは、第２プリント回路基板を挟んでいることから、電磁気的には比較的遠い位置にある。）に実装されているため、アンテナ内蔵でありながら、ノイズ耐性の高い無線式電源制御ユニットを提供することができる。
【００１４】
［４］本考案の無線式電源制御ユニットにおいては、前記第１プリント回路基板及び前記第２プリント回路基板は平行に配置されており、前記第１ケース内底面と前記第２ケース内底面との間の距離をＤ１としたときに、前記第１プリント回路基板の前記第１ケース底部側の面と前記第１ケース内底面との間の距離は、Ｄ１の０．０５倍〜０．１５倍の範囲内にあり、且つ、前記第２プリント回路基板の前記第２ケース底部側の面と前記第２ケース内底面との間の距離は、Ｄ１の０．０５倍〜０．１５倍の範囲内にあることが好ましい。
【００１５】
第１ケース及び第２ケースによって形成される内部空間において、「第１プリント回路基板の第１ケース底部側の面と第１ケース内底面との間の距離が、Ｄ１の０．０５倍〜０．１５倍の範囲内にあり、且つ、第２プリント回路基板の第２ケース底部側の面と第２ケース内底面との間の距離が、Ｄ１の０．０５倍〜０．１５倍の範囲内にある」程度に、第１プリント回路基板及び第２プリント回路基板をそれぞれに対応したケースの内底面に寄せることにより、第１ケース及び第２ケースによるケーシングのサイズを大型化することなく、電源回路を構成する比較的大型なデバイス（トランス、リレー等）を格納する空間を確保することができる。
仮に、これよりも小さい倍率で基板を内底面に寄せると、アンテナを格納する空間の確保が難しくなり、また、逆にこれよりも大きい倍率とするとトランス等を格納する空間が確保し難くなる。
【００１６】
［５］本考案の無線式電源制御ユニットにおいては、前記第１プリント回路基板及び前記第２プリント回路基板は平行に配置されており、前記第１プリント回路基板と前記第２プリント回路基板との間隔をＧ１とし、前記電源回路を構成するデバイスの内、最も高さが大きいデバイスの高さをＨ１とすると、Ｈ１は、Ｇ１の０．９５倍よりも小さいことが好ましい。
【００１７】
電源回路を構成するデバイス（例えば、トランス等）と第２プリント回路基板との間のクリアランスを、「Ｈ１がＧ１の０．９５倍よりも小さい範囲にある」程度に確保することにより、ノイズの影響を受け難い最低限の距離を確保し、且つ、絶縁耐圧を担保する最低限の距離も確保しつつも、第１プリント回路基板と第２プリント回路基板との間隔を最大限に活用して大型のデバイスを格納することができる。
【００１８】
［６］本考案の無線式電源制御ユニットにおいては、前記電源回路を構成するデバイスにトランスが含まれることが好ましい。
【００１９】
本考案によれば、トランスは比較的大型のデバイスであることから、電源回路を構成するデバイスにトランスを含ませれば、本考案に係る無線式電源制御ユニットの作用効果を最大限に発揮させることができる。
【００２０】
［７］本考案の無線式電源制御ユニットにおいては、前記第２ケースには、第２ケース本体から突出して形成されたユニット取付部であって、前記無線式電源制御ユニットを外部に固定するための前記ユニット取付部が設けられていることが好ましい。
【００２１】
無線式電源制御ユニット全体の形状を、単に直方体の形状（ユニット取付部が無い形状）としたときには、ユニット取付のための空間（例えば、ねじを嵌め込む空間、ねじを回すためドライバー等の工具が挿入できる空間等）をユニット内部に別途確保する必要がある。しかし、本考案のように、第２ケースに第２ケース本体から突出して形成されたユニット取付部を設けることにより、ユニットの内部においてユニット取付のための空間は不要となり、ユニット本体の小型化に資することができる。
【００２２】
［８］上記［７］に記載の無線式電源制御ユニットにおいては、前記第２ケース本体の正面側の外面は、前記ユニット取付部の正面側の外面よりも、正面側に突出していることが好ましい。
【００２３】
（イ）第２ケース本体の正面側の外面が、ユニット取付部の正面側の外面よりも、正面側に突出して構成されているため、例えば壁に設けられた収容スペースの奥行寸法（壁に垂直な方向に視たときの奥行の方向。）が十分確保されていない場合においても、ユニット取付部の正面側の外面と第１ケース底部との間の高さが、上記奥行寸法に収まれば、壁に当該無線式電源制御ユニットを収容することができる。一方、（ロ）第２ケース本体の正面側の外面が正面側に突出する分の空間がユニット内部に捻出できるため、これを有効活用して、ユニット内部には電源回路を構成する大型のデバイスを格納することができる。実施形態１に係る無線式電源制御ユニットが、第２ケース本体の正面側の外面が、ユニット取付部の正面側の外面よりも、正面側に突出していることにより、上記した（イ）及び（ロ）の効果を両立させることができる。
【００２４】
[９]本考案の無線式電源制御ユニットにおいては、前記第１ケース内底面と前記第２ケース内底面との間に支柱が配置されていることが好ましい。
【００２５】
このような構成によれば、前記第１ケース内底面と前記第２ケース内底面との間に支柱が配置されているため、第１ケース及び第２ケースによって構成される筐体において、正面〜背面方向の潰れに対する強度を高めることができる。
【００２６】
［１０］上記［９］に記載の無線式電源制御ユニットにおいては、少なくとも前記第１プリント回路基板又は前記第２プリント回路基板のいずれかに貫通穴が設けられ、前記支柱は前記貫通穴を貫通していることが好ましい。
【００２７】
このような構成によれば、支柱を貫通穴に貫通させることにより、第１ケース、第２ケース、第１プリント回路基板及び第２プリント回路基板の相互間の平面的な位置合わせが容易に可能となる。
【００２８】
［１１］本考案の無線式電源制御ユニットにおいて、前記制御信号は、ＥｎＯｃｅａｎ規格による無線によって送信される信号であることが好ましい。
【００２９】
［１２］本考案の無線式電源制御システムは、上記［１］〜［１１］のいずれかに記載の無線式電源制御ユニットと、前記無線式電源制御ユニットの前記入力端子と前記出力端子との間における前記電源線の電気的な接続及び切断に関する前記制御信号を、無線により外部に送信する制御信号送信ユニットと、を備え、前記制御信号送信ユニットは、センサによる検出情報に基づいて前記制御信号を生成し、該制御信号を送信することを特徴とする。
【００３０】
本考案の無線式電源制御システムによれば、前記［１］〜［１１］のいずれかに記載の本考案の無線式電源制御ユニットを備えるため、前記［１］〜［１１］のいずれかに記載の無線式電源制御ユニットと同様の効果を有する。これにより、本考案の無線式電源制御システムは、小型でスペース効率に優れ、且つ、ノイズへの耐性が高い無線式電源制御システムとなる。
【図面の簡単な説明】
【００３１】
【図１】実施形態１に係る無線式電源制御ユニット１を説明するために示す外観図である。
【図２】実施形態１に係る無線式電源制御ユニット１を説明するために示す分解図である。
【図３】実施形態１に係る無線式電源制御ユニットの設置方法の一例を説明するために示す斜視図である。
【図４】実施形態１に係る無線式電源制御ユニット１及び実施形態２に係る無線式電源制御システム５の回路構成を説明するために示すブロック図である。
【図５】実施形態１に係る無線式電源制御ユニット１の要部を説明するために示す断面図である。
【図６】実施形態１に係る無線式電源制御ユニット１の要部について、寸法等の関係を説明するために示す断面図である。
【考案を実施するための形態】
【００３２】
以下、本考案の無線式電源制御ユニットを図に示す実施形態に基づいて詳細に説明する。なお、各図は模式図であり、各構成要素の寸法、角度等の表示は必ずしも実際のものを厳密に反映したものではない。
【００３３】
［実施形態１］    
１．実施形態１に係る無線式電源制御ユニット１の構成
（１）無線式電源制御ユニット１の概要
図１は、実施形態１に係る無線式電源制御ユニット１を説明するために示す外観図である。図１（ａ）は無線式電源制御ユニット１の正面図、図１（ｂ）は無線式電源制御ユニット１の底面図、図１（ｃ）は無線式電源制御ユニット１の右側面図である。図２は、実施形態１に係る無線式電源制御ユニット１を説明するために示す分解図である。
【００３４】
実施形態１に係る無線式電源制御ユニット１は、無線により外部から送信された制御信号を受信し、該制御信号に基づいて入力端子３５０と出力端子３６０との間における電源線の電気的な接続及び切断を行う（詳細は後述する。）ユニットである。
【００３５】
無線式電源制御ユニット１の筐体は、図１に示すように、第１ケース１００及び第２ケース２００によって構成されている。第１ケース１００及び第２ケース２００によって囲まれた筐体の内部空間には、図２に示すように、少なくとも第１プリント回路基板３００、第２プリント回路基板４００、入力端子３５０及び出力端子３６０が格納されている。
無線式電源制御ユニット１の筐体の一部には開口部１２４が設けられている。開口部１２４は、第１ケース１００の一部に切欠きを設けることによって構成する（図１（ｂ）及び図２の第１ケース１００に設けられた開口部１２４を参照。）。
開口部１２４においては、入力端子３５０及び出力端子３６０の一部が外部に現れており、外部より電源線等を接続できるようになっている。
【００３６】
入力端子３５０は外部電源（例えば、商用電源）に接続される接続点である。この入力端子３５０には、外部電源からの電源線が接続され、第１電源Ｐ１（例えば、ＡＣ１００Ｖ単相）が供給される。
出力端子３６０は、外部の負荷（例えば、照明機器、空調機器等の電気機器）に接続される接続点である。この出力端子３６０には、無線式電源制御ユニット１の内部より第２電源Ｐ２（所与の制御下に置かれたＡＣ１００Ｖ単相）が供給される。
実施形態１において、入力端子３５０及び出力端子３６０は、第１プリント回路基板３００の表面に実装されている（図２参照。）。
【００３７】
図３は、実施形態１に係る無線式電源制御ユニットの設置方法の一例を説明するために示す斜視図である。
【００３８】
実施形態１において、無線式電源制御ユニット１は、図３に示すように壁１０に設けられた収容部１１に埋め込まれるようにして設置される。無線式電源制御ユニット１の入力端子３５０（図３には現れていない。）には商用電源であるＡＣ１００Ｖ単相の電源線６０が接続され、出力端子３６０（図３には現れていない。）には、例えば天井灯等の照明機器（図示しない。）の電源線７０が接続される。このように設置された無線式電源制御ユニット１は、外部からの無線により送信された制御信号に基づき照明機器の接続及び切断の制御を行う（すなわち、照明のオン／オフ制御を行う。）。
【００３９】
（２）無線式電源制御ユニット１の回路構成
図４は、実施形態１に係る無線式電源制御ユニット１及び実施形態２に係る無線式電源制御システム５の回路構成を説明するために示すブロック図である。
【００４０】
第１プリント回路基板３００には、図４に示すように、入力端子３５０、出力端子３６０、電源回路３１０、ヒューズＦ１（電源回路３１０の保護用）、ヒューズＦ２（負荷Ｌの保護用）、リレー（リレーコイル３２０ａ及びリレー接点３２０ｂからなる。）、コネクタ３４０等が構成され、これらが実装されている。
電源回路３１０は、トランスＴ１による変圧回路３１２（電源回路３１０の入力側）、ブリッジダイオードＢＤ１による整流回路３１４及びコンデンサＣ１による平滑回路３１６（電源回路３１０の出力側）によって構成することができる。
すなわち、実施形態１に係る無線式電源制御ユニット１において、電源回路３１０を構成するデバイス群の中に少なくともトランスＴ１が含まれている。
電源回路３１０の入力側は、ヒューズＦ１を介して入力端子３５０に接続されており、電源回路３１０の出力側は、コネクタ３４０及びケーブルＣＢ１を介して第２プリント回路基板４００に接続されている。電源回路３１０は、無線式電源制御ユニット１の入力端子３５０に供給される第１電源Ｐ１（ＡＣ１００Ｖ単相）を入力し、制御回路に用いられる第３電源Ｐ３（第２プリント回路基板４００で扱うことができる電源であればどのような電源であっても実施形態１に適用できるが、例えば、ＤＣ１０Ｖ。）へと変換し、第３電源Ｐ３（ＤＣ１０Ｖ）を第２プリント回路基板４００側に出力する。
一方、出力端子３６０も、ヒューズＦ２及びリレー接点３２０ｂを介して、入力端子３５０に接続されている。後述する第２プリント回路基板４００に実装された制御回路４１０が動作することによってリレーコイル３２０ａが作動し、これに連動してリレー接点３２０ｂが開閉し、入力端子３５０と出力端子３６０との間における電源線の電気的な接続及び切断を行えるような構成となっている。
【００４１】
第２プリント回路基板４００には、レギュレータ４３０、制御回路４１０（アンテナ４１２、無線モジュール４１４、フォトリレー４１６等からなる回路。）、コネクタ４５０，４５２等が構成され、これらが実装されている。
レギュレータ４３０は、コネクタ３４０、ケーブルＣＢ１及びコネクタ４５０を介して電源回路３１０の出力側に接続されている。レギュレータ４３０は、電源回路３１０が出力した第３電源Ｐ３（ＤＣ１０Ｖ）を降圧して「第３電源Ｐ３に基づく電源（制御回路４１０等の動作のために用いる電源であり、例えば、ＤＣ３．３Ｖ。）」を生成する。
無線モジュール４１４は、無線に関係する信号の処理、電源制御等、ユニット全般に関わる制御を司るモジュールである。無線モジュール４１４には受信回路４７０、マイコン（Ｍｉｃｒｏ Ｃｏｍｐｕｔｏｒ）４７２、メモリ４７４、Ｉ／Ｏ（Ｉｎｐｕｔ／Ｏｕｔｐｕｔポート）４７６等が内蔵されている。無線モジュール４１４には、これが動作するための電源として、レギュレータ４３０が生成したＤＣ３．３Ｖ（第３電源Ｐ３に基づく電源）が入力される。受信回路４７０には、アンテナ４１２が接続されている。無線モジュール４１４のＩ／Ｏ４７６の出力ポートからは、フォトリレー４１６の一次側の発光ダイオード４１６ａに接続されている。
フォトリレー４１６の二次側の出力トランジスタ４１６ｂは、コネクタ４５０、ケーブルＣＢ１及びコネクタ３４０を介して第１プリント回路基板３００に実装されたリレーコイル３２０ａに接続されている。
アンテナ４１２は、外部から送信される制御信号が重畳された電波を捕捉する。
受信回路４７０は、アンテナ４１２によって捕捉された電波を入力し、フィルタリング、増幅、Ａ／Ｄ変換等を行い、外部から送信された制御信号等をマイコン４７２が解読可能なデジタル信号に変換する。
マイコン４７２は、制御信号等を解読し、制御信号の内容に応じて入力端子と出力端子との間における電源線の電気的な接続及び切断の制御のための開閉信号をＩ／Ｏの出力ポートに出力する。
フォトリレー４１６は、一次側の発光ダイオード４１６ａに対し開閉信号が供給され、この開閉信号に基づいて二次側の出力トランジスタ４１６ｂのスイッチングを行う。フォトリレー４１６の一次側と二次側との間は光の送受によってリンクされているため、無線モジュール４１４側は第１プリント回路基板３００側と電気的に絶縁される（但し、例外的に第３電源Ｐ３の授受の部分については電気的に接続されている。）。
以上の構成により、制御回路４１０（アンテナ４１２、無線モジュール４１４、フォトリレー４１６等からなる回路。）は、無線により外部から送信された制御信号を受信し該制御信号に基づいて入力端子３５０と出力端子３６０との間における電源線の電気的な接続及び切断の制御を行う。
【００４２】
（３）無線式電源制御ユニット１の基本的な実装構造
図５は、実施形態１に係る無線式電源制御ユニット１の要部を説明するために示す断面図であり、無線式電源制御ユニット１を図１（ａ）のＡ−Ａ線に沿って切断したときの断面図である。図６は、実施形態１に係る無線式電源制御ユニット１の要部について、寸法等の関係を説明するために示す断面図である。なお、説明を要しない部品については符号の表示を省略している。
【００４３】
無線式電源制御ユニット１の内部の実装構造は、図５に示すように、第２プリント回路基板４００は、第２ケース底部２１０寄りに第２ケース内底面２１２に対向するようにして配置されている。具体的には、第２プリント回路基板４００は、第２ケース底部２１０に寄せるようにして、第２ケース内底面２１２と概ね平行となるように配置されている。
一方、第１プリント回路基板３００は第１ケース底部１１０寄りに配置されている。具体的には、第１プリント回路基板３００は、第１ケース底部１１０に寄せるようにして、第１ケース内底面１１２と概ね平行となるように配置されている。
【００４４】
制御回路４１０を構成するデバイス（例えば、アンテナ４１２、無線モジュール４１４、フォトリレー４１６等。）は、第２プリント回路基板４００の表面のうち第２ケース底部２１０側の表面に配置されている。
一方、電源回路３１０を構成するデバイス（例えば、トランスＴ１、ブリッジダイオードＢＤ１、コンデンサＣ１等。）は、第２プリント回路基板４００の第２ケース底部２１０側とは反対の側に配置されている。具体的には、電源回路３１０を構成するデバイスは、第２プリント回路基板４００の第１ケース底部１１０側の空間、すなわち、第１プリント回路基板３００のベア基板と第２プリント回路基板４００のベア基板との間にできた空間に配置されている。なお、電源回路３１０を直接的に構成するデバイスではないが、比較的大型なデバイスであるヒューズＦ１、リレー３２０、入力端子３５０、出力端子３６０等についても、同様にこの空間に配置されている（図２も併せて参照。）。
【００４５】
（４）無線式電源制御ユニット１の詳細な実装構造
実施形態１に係る無線式電源制御ユニット１は、上記した基本的な実装構造に加え、以下に説明する詳細な実装構造を備える。
【００４６】
（ａ）ベタのＧＮＤパターン４８０  
無線式電源制御ユニット１において、電波を主に取り込む側を正面側とし該正面とは反対の側を背面側と定義したとき、第２ケース２００は正面側に配置され、且つ、第１ケース１００は背面側に配置されている。そして、第２プリント回路基板４００は、背面側の表面配線層又は内部配線層において、ベタに形成されたＧＮＤパターン４８０を有している（図５参照。）。
ここで、「ＧＮＤ（Ｇｒｏｕｎｄ）」とは、制御回路４１０が動作する基準となる低電位側の電位を指す。「ベタ」に形成されたパターンとは、平面的に比較的大きな面積をもって形成された配線パターンを指し、例えば、ベア基板全体の面積に対し凡そ５０％以上の面積を占めるように形成された配線パターンなどはこれに該当する。
【００４７】
（ｂ）アンテナの内蔵    
第２ケース２００のうち少なくとも第２ケース底部２１０は、非導電性部材（例えば、非導電性の樹脂等。）によって構成されており、電波を捕捉するアンテナ４１２は、第２プリント回路基板４００の表面のうち正面側の表面に実装されている（図５及び図２参照。）。
アンテナ４１２を構成するアンテナパターンは、略帯状の金属部材からなる。アンテナパターンは、給電部からユニット正面側に向けて立ち上がり、その先で屈曲し、その先のアンテナパターンの大部分は第２プリント回路基板４００の表面から離間されている。
【００４８】
（ｃ）基板とケース内底面との離間距離  
無線式電源制御ユニット１において、第１プリント回路基板３００及び第２プリント回路基板４００は平行に配置されている。なお、ここでの「平行」は、完全な平行でなくても凡そ平行であってもよい（以下、同様。）。
図６に示すように、第１ケース内底面１１２と第２ケース内底面２１２との間の距離をＤ１と定義したとき、第１プリント回路基板３００の第１ケース底部１１０側の面と第１ケース内底面１１２との間の距離は、Ｄ１の０．０５倍〜０．１５倍の範囲内にある。また、第２プリント回路基板４００の第２ケース底部２１０側の面と第２ケース内底面２１２との間の距離は、Ｄ１の０．０５倍〜０．１５倍の範囲内にある。
【００４９】
（ｄ）基板間隔Ｇ１に対するデバイスの高さの関係  
図６に示すように、第１プリント回路基板３００のベア基板と第２プリント回路基板４００のベア基板との間隔をＧ１と定義し、電源回路３１０を構成するデバイスの内、最も高さが大きいデバイス（例えば、トランスＴ１）の高さをＨ１と定義したとき、実施形態１に係る無線式電源制御ユニット１において、Ｈ１は、Ｇ１の０．９５倍よりも小さい関係となっている。
【００５０】
（ｅ）ユニット取付部２５０  
図２、図５等に示すように、第２ケース２００においては、第２ケース本体２４０から突出して形成されたユニット取付部２５０が設けられている。
ユニット取付部２５０には、図３に示すように、長穴２５３、ねじ孔２５２等が設けられており、無線式電源制御ユニット１を外部（壁、市販の照明スイッチユニットの筐体等）に固定することができる。
実施形態１においては、ユニット取付部２５０は、第２ケース本体２４０から連成するように第２ケース本体２４０と一体的に設けられているが、別体のものを組み合せてもよい。
【００５１】
（ｆ）第２ケース本体２４０のはみ出し  
図６に示すように、無線式電源制御ユニット１において、第２ケース本体２４０の正面側の外面（図６において当該外面の水準をＦＥ１で示した。）は、ユニット取付部２５０の正面側の外面（図６において当該外面の水準をＦＥ２で示した。）よりも、正面側に突出している。
【００５２】
（ｇ）支柱２３０  
図５に示すように、無線式電源制御ユニット１において、第１ケース内底面１１２と第２ケース内底面２１２との間に支柱２３０が配置されている。
支柱２３０を配置する方法はいかなる方法によってもよいが、実施形態１においては、第２ケース本体２４０から連成するように第２ケース本体２４０と一体的に支柱２３０が設けられている。
【００５３】
また、無線式電源制御ユニット１において、少なくとも第１プリント回路基板３００又は第２プリント回路基板４００のいずれかに貫通穴が設けられおり、支柱２３０はかかる貫通穴を貫通している。
例えば、図２に示すように、第２プリント回路基板４００に貫通穴４６０が設けられ、支柱２３０は、かかる貫通穴４６０を貫通するように構成する。
【００５４】
（５）実施形態１に係る無線式電源制御ユニット１の組立
実施形態１に係る無線式電源制御ユニット１の組立方法は、結果的に上記した実装構造をとるのであれば、いかなる組立方法によってもよいが、例えば、次のような組立方法としてもよい（図２参照。）。
（ａ）電源回路３１０を構成するデバイス（トランスＴ１、ブリッジダイオードＢＤ１、コンデンサＣ１等）を第１プリント回路基板３００のベア基板に実装する。
（ｂ）制御回路４１０を構成するデバイス（アンテナ４１２、無線モジュール４１４等）を第２プリント回路基板４００のベア基板に実装する。
（ｃ）第１プリント回路基板３００を、第１ケース内底面１１２に落とし込む。このとき、電源回路３１０を構成するデバイスは第１ケース内底面１１２とは反対側（ユニットの正面側）に向くようにする。その上で、ねじ５００を用いて、第１プリント回路基板３００を第１ケース１００に固定する（第１サブユニット完成）。
（ｄ）第２プリント回路基板４００を、第２ケース内底面２１２に落とし込む。このとき、制御回路４１０を構成するデバイスは第２ケース内底面２１２に対向するようにする。その上で、ねじ５０１を用いて、第２プリント回路基板４００を第２ケース２００に固定する（第２サブユニット完成）。
（ｅ）第１サブユニットの第１ケース１００と第２サブユニットの第２ケース２００とを嵌合部Ｊ付近で嵌合させ（図５も併せて参照。）、第１ケース底部１１０付近においてねじ５１０を支柱２３０に螺合させることにより、第１サブユニットと第２サブユニットとを結合する。
以上の組立方法をとることによって、実施形態１に係る無線式電源制御ユニット１を得ることができる。
【００５５】
２．実施形態１に係る無線式電源制御ユニット１の設置、使用方法及び動作
（１）設置
上記したとおり、無線式電源制御ユニット１は、例えば図３に示すように、壁１０に設けられた収容部１１に埋め込まれるようにして設置される。
なお、無線式電源制御ユニット１は、第２ケースの側（正面側）を壁１０の外側を向くようにし、第１ケースの側（背面側）を壁１０の内側（収容部１１側）に向くようにして配置することが好ましい。電波を主に取り込む側が壁１０の外側に向けられるため、無線により外部から送信される制御信号を感度よく受信しやすくなる。
【００５６】
入力端子３５０（図３には現れていない。）には商用電源であるＡＣ１００Ｖ単相の電源線６０が接続され、出力端子３６０（図３には現れていない。）には、例えば天井灯等の照明機器（図示しない。）の電源線７０が接続される。
なお、入力端子３５０及び出力端子３６０は、電源線が接続される接続口がユニットの底面側に向くように第１プリント回路基板３００に実装されている（図１、図２、図５等参照。）。そして、無線式電源制御ユニット１を壁等に埋め込んで設置するときには、これら入力端子３５０及び出力端子３６０の接続口が鉛直方向側（下側）に向くようにして設置することが好ましい。
【００５７】
無線式電源制御ユニット１は、図３に示すように、ねじ３０によりねじ孔２１及びねじ孔２５２を介してプレート枠２０と結合される。そして、当該プレート枠２０を伴った無線式電源制御ユニット１は、ねじ４０により長穴２５３を介して雌ねじ１２（収容部１１に設けられた雌ねじ１２）に螺合されて、収容部１１の中に埋め込まれるようにして固定される。そして、無線式電源制御ユニット１を覆うようにして、プレート５０がプレート枠２０に対して固定される。
参考までに、プレート５０は、縁から中央部に向かって湾曲しており、縁よりも中央部がやや高いドーム形をしている。したがって、第２ケース２００の正面側の外面が、ユニット取付部２５０の正面側の外面よりも正面側に突出していたとしても、かかるドームの部分が突出した分を吸収するため、プレート５０によって無線式電源制御ユニット１を覆ってしまえば、上記突出した部分は外見上目立つことはない。
【００５８】
なお、無線式電源制御ユニット１における、ねじ孔２５２、長穴２５３等は既存の壁埋め込み型照明スイッチの取付寸法と同様に配置されることが好ましい。無線式電源制御ユニット１を既存の壁埋め込み型照明スイッチの代替えとして壁に埋め込む場合にも、容易に置き換えが可能となるからである。
【００５９】
（２）使用方法及び動作
別途、実施形態１に係る無線式電源制御ユニット１に適合した外部の制御信号送信ユニット２を準備する。かかる制御信号送信ユニット２は、例えば、押しボタンスイッチ（図示しない。）を含むものであってもよい。
例えば、使用者が制御信号送信ユニット２の押しボタンスイッチを押すと、制御信号送信ユニット２からは、所与の無線規格に則り、制御信号を重畳した電波が外部に送信される。
なお、無線規格は、ＢＴＬＥ《Ｂｌｕｅｔｏｏｔｈ  Ｌｏｗ  Ｅｎｅｒｇｙ（商標）》
、ＺｉｇＢｅｅ（商標）、ＥｎＯｃｅａｎ（商標）等から適宜選択することができる。制御信号は、ＥｎＯｃｅａｎ規格による無線によって送信される信号であることが好ましい。
無線式電源制御ユニット１においては、アンテナ４１２によって捕捉された電波が受信回路４７０に入感する。受信回路４７０においてフィルタリング、増幅、Ａ／Ｄ変換等が行われ、電波に重畳された制御信号等が、マイコン４７２が可読可能なデジタル信号に変換される。マイコン４７２においてこれらの制御信号等が解読される。マイコン４７２が、当該制御信号は自己の無線式電源制御ユニット宛てに送信された制御信号であると判断した場合には、電源線の電気的な接続及び切断の制御のための開閉信号がＩ／Ｏの出力ポートに出力される。
以下、例えば、負荷が照明装置であり、制御信号が照明オンとすべき制御信号である場合を想定して説明を続ける。
Ｉ／Ｏの出力ポートには、後述するリレー接点３２０ｂをオン（接続状態）とすることができる論理の信号が出力される。Ｉ／Ｏ出力ポートから出力されたかかる開閉信号によって、フォトリレー４１６の一次側の発光ダイオードが駆動され、これに連動するようにフォトリレー４１６の二次側の出力トランジスタが駆動される。フォトリレー４１６の二次側の出力トランジスタが駆動されると、リレーコイル３２０ａが駆動される。これに連動するようにリレー接点３２０ｂがオン（接続状態）となり、入力端子３５０と出力端子３６０との間における電源線の電気的な接続がされる。そうすると、例えば、それまで照明装置において照明オフの状態であったところが、照明オンの状態に切り替わる。
なお、照明オンの状態から照明オフの状態に切り替える場合も、上記と逆論理の動作を同様に行うこととなるため、詳細な説明は省略する。
【００６０】
３．実施形態１に係る無線式電源制御ユニット１の効果
（１）実施形態１に係る無線式電源制御ユニット１によれば、第２プリント回路基板４００が第２ケース底部２１０寄りに配置され、第１プリント回路基板３００が第１ケース底部１１０寄りに配置されるため、第２プリント回路基板４００の第２ケース底部２１０側とは反対の側に比較的大きな空間を確保することができる。この空間を有効活用することにより、第１ケース１００及び第２ケース２００によって構成される筐体を特段大型化することなく、電源回路３１０を構成する比較的大型なデバイス（トランスＴ１、リレー３２０等）を無線式電源制御ユニット１の内部に格納することができる。
また、第２プリント回路基板４００の表面のうち第２ケース底部２１０側（ユニットの正面側）の表面に、制御回路４１０を構成するデバイス（アンテナ４１２、無線モジュール４１４等）が配置され、且つ、第２プリント回路基板４００の第２ケース底部２１０側とは反対の側に、電源回路３１０を構成するデバイス（トランスＴ１、ブリッジダイオードＢＤ１、コンデンサＣ１等）が配置されているため、ノイズに対して感受性の高い制御回路４１０を、ノイズの発生源となりやすい電源回路３１０のデバイスから、第２プリント回路基板４００を挟んで遠ざける（又は隔離する。）ことができる。
このようにして、実施形態１の無線式電源制御ユニット１によれば、小型で、且つ、ノイズの影響を小さくすることができる。
【００６１】
また、人が、ユニット内部の第２プリント回路基板４００に実装されたデバイスを触れる場合もある（例えば、後述するように、ペアリングの際には、押しボタンスイッチ窓２６０を通じて押しボタンスイッチ４１７を触れる。）。この場合においても、比較的高電圧で動作する電源回路３１０のデバイスは、押しボタンスイッチ４１７と分離されるように別基板の第１プリント回路基板３００に実装されており、且つ、第２プリント回路基板４００を挟んで遠ざけているため、感電防止の観点からも安全性を高めることができる。
【００６２】
（２）実施形態１の第２プリント回路基板４００において、背面側の表面配線層又は内部配線層においてベタに形成されたＧＮＤパターン４８０を有するため、ＧＮＤ電位の安定化を図ることができ制御回路４１０のノイズ耐性を高めることができる。
また、ベタに形成されたＧＮＤパターン４８０は電磁シールドとしても機能させることができるため、電源回路側から制御回路側へのノイズ伝搬を低減又は遮断することが期待できる。
【００６３】
さらに、仮に、第２プリント回路基板４００のユニット正面側にアンテナが実装され、第２プリント回路基板４００を挟んだ反対側（ユニット背面側）に金属部材を多く含むデバイス（トランス等）が配置された場合には、当該金属部材の影響で、アンテナによる電波捕捉の感度が落ちるという問題が生じうる。しかし、第２プリント回路基板４００において、背面側の表面配線層又は内部配線層においてベタに形成されたＧＮＤパターン４８０を設けることにより、このようなアンテナ感度低下の問題を抑え込むことができる。
この観点から、平面的に観たとき、ＧＮＤパターン４８０は、少なくともアンテナ４１２とオーバーラップするように設けられることが好ましい。
【００６４】
（３）実施形態１に無線式電源制御ユニット１において、第２ケース２００のうち少なくとも第２ケース底部２１０は、非導電性部材によって構成されており、電波を捕捉するアンテナ４１２は、第２プリント回路基板４００の表面のうち正面側の表面に実装されていることから、外付けアンテナが不要となり、無線式電源制御ユニットを用いた無線式電源制御システム全体の小型化を図ることができる。また、アンテナ外付けの工事も不要となり、無線式電源制御ユニットの導入・設置も容易となる。
さらに、アンテナ４１２は、第２プリント回路基板４００の表面のうちユニット正面側の表面（この実装面は、電源回路のデバイスからは、第２プリント回路基板を挟んでいることから、電磁気的には比較的遠い位置にある。）に実装されているため、アンテナ内蔵でありながら、ノイズ耐性の高い無線式電源制御ユニットとなる。
【００６５】
（４）第１ケース１００及び第２ケース２００によって形成される内部空間において「第１プリント回路基板３００の第１ケース底部１１０側の面と、第１ケース内底面１１２との間の距離が、Ｄ１の０．０５倍〜０．１５倍の範囲内にあり、且つ、第２プリント回路基板４００の第２ケース底部２１０側の面と、第２ケース内底面２１２との間の距離が、Ｄ１の０．０５倍〜０．１５倍の範囲内にある」程度に、第１プリント回路基板３００及び第２プリント回路基板４００をそれぞれに対応したケースの内底面に寄せることにより、第１ケース１００及び第２ケース２００によるケーシングのサイズを大型化することなく、電源回路３１０を構成する比較的大型なデバイス（トランス、リレー等）を格納する空間を確保することができる。
仮に、これよりも小さい倍率で基板を内底面に寄せると、アンテナを格納する空間の確保が難しくなり、アンテナによる電波捕捉の特性にも影響を与えることとなる。逆に、これよりも大きい倍率とするとトランス等を格納する空間が確保し難くなる。
【００６６】
（５）電源回路３１０を構成するデバイス（例えば、トランス等）と第２プリント回路基板４００との間のクリアランスを、「Ｈ１がＧ１の０．９５倍よりも小さい範囲にある」程度に確保することにより、ノイズの影響を受け難い最低限の距離を確保し、且つ、絶縁耐圧を担保する最低限の距離も確保しつつも、第１プリント回路基板３００と第２プリント回路基板４００との間隔を最大限に活用して大型のデバイスを格納することができる。
【００６７】
（６）トランスは比較的大型のデバイスであることから、電源回路３１０を構成するデバイスにトランスを含ませれば、実施形態１に係る無線式電源制御ユニット１の作用効果を最大限に発揮させることができる。
【００６８】
（７）無線式電源制御ユニット全体の形状を、単に直方体の形状（ユニット取付部が無い形状）としたときには、ユニット取付のための空間（例えば、ねじを嵌め込む空間、ねじを回すためドライバー等の工具が挿入できる空間等）をユニット内部に別途確保する必要がある。しかし、実施形態１に係る無線式電源制御ユニット１においては、第２ケース２００に、第２ケース本体２４０から突出して形成されたユニット取付部２５０であって、無線式電源制御ユニット１を外部に固定するためのユニット取付部２５０が設けられているため、ユニットの内部においてユニット取付のための空間は不要となる。したがって、ユニット本体の小型化に資することができる。
【００６９】
（８）（イ）第２ケース本体２４０の正面側の外面ＦＥ１が、ユニット取付部２５０の正面側の外面ＦＥ２よりも、正面側に突出して構成されているため、例えば壁に設けられた収容スペース（収容部１１）の奥行寸法（壁に垂直な方向に視たときの奥行の方向。）が十分確保されていない場合においても、ユニット取付部２５０の正面側の外面ＦＥ２と第１ケース底部１１０との間の高さが、上記奥行寸法に収まれば、壁に当該無線式電源制御ユニット１を収容することができる。一方、（ロ）第２ケース本体２４０の正面側の外面ＦＥ１が正面側に突出する分の空間がユニット内部に捻出できるため、これを有効活用して、ユニット内部には電源回路３１０を構成する大型のデバイスを格納することができる。
【００７０】
（９）第１ケース内底面１１２と第２ケース内底面２１２との間に支柱２３０が配置されているため、第１ケース１００及び第２ケース２００によって構成される筐体において、正面〜背面方向の潰れに対する強度を高めることができる。
【００７１】
（１０）実施形態１に係る無線式電源制御ユニット１において、少なくとも第１プリント回路基板３００又は第２プリント回路基板４００のいずれかに貫通穴が設けられおり、支柱２３０はかかる貫通穴を貫通している。このような構成によれば、支柱２３０を貫通穴４６０に貫通させることにより、第１ケース１００、第２ケース２００、第１プリント回路基板３００及び第２プリント回路基板４００の相互間の平面的な位置合わせが容易に可能となる。
【００７２】
（１１）入力端子３５０及び出力端子３６０用の開口部１２４
第１ケース１００における開口部１２４の構成の仕方は何れの方法によるものでもよいが、実施形態１では、第１ケース１００の周縁の端部（ユニットを組み立てる際に第２ケース２００と接合される部分）において切欠きを設けることによって構成する《図１（ｂ）参照。》。換言すると、第２ケース２００が第１ケース１００に嵌合する嵌合部Ｊが、入力端子３５０及び出力端子３６０の輪郭のうち正面側の輪郭のすぐ近くに位置するように構成する。
この方法によれば、第１ケース１００の周縁部が切欠き付近で上方向に開口した構造となっているため、第１プリント回路基板３００を第１ケース底部１１０に押し込むように格納する際には、入力端子３５０及び出力端子３６０と第１ケース１００とが干渉しなくなるため格納（組立）が容易となる。また、第１ケース１００を型によって製造する場合、第１ケース１００の周縁部が切欠き付近で上方向に開口した構造となっているため、型と第１ケース１００とを分離し易い。このような開口部の構成方法によれば、上記したように製造工程が簡易化され、型治具が節減されるため、安価に無線式電源制御ユニット１を製造することができる。
【００７３】
（１２）設置の際の入力端子３５０及び出力端子３６０の向き
入力端子３５０及び出力端子３６０は、電源線が接続される接続口がユニットの底面側に向くように第１プリント回路基板３００に実装されている。無線式電源制御ユニット１を壁等に埋め込んで設置するときには、これら入力端子３５０又は／及び出力端子３６０の接続口が鉛直方向側（下側）に向くようにして設置することが好ましい。
ところで、壁の内側に這っている照明スイッチに関する屋内配線は、一般的に、照明スイッチ付近では鉛直方向に沿って延びるように配線されている。
こうした条件の下では、入力端子３５０又は／及び出力端子３６０の接続口が鉛直方向側（下側）に向くように設置すると、既存の壁埋め込み型照明スイッチの代替えとして壁に埋め込む場合にも、配線が容易である。
また、入力端子３５０又は／及び出力端子３６０の接続口が下側に向くため、上側に向く場合に比べ、ゴミの付着、異物の落下等を原因とする配線ショートを惹き起こしづらく、より安全である。
【００７４】
（１３）無線式電源制御ユニット１を建物に導入・設置をする際にも、新規施工で導入・設置する場合だけでなく、既存の壁埋め込み型照明スイッチの代替えとして導入・設置する場合においても、実施形態１の無線式電源制御ユニット１は、小型であり、既存の照明スイッチの配線をそのまま借用して置き換えでき、実現する機能も同等となるため、容易に置き換えが可能である。
【００７５】
［実施形態２］
１．実施形態２に係る無線式電源制御システム５の構成
実施形態２に係る無線式電源制御システム５は、図４に示すように、無線式電源制御ユニット１及び制御信号送信ユニット２を備えている。
【００７６】
無線式電源制御ユニット１は、実施形態１に係る無線式電源制御ユニット１と同等のユニットである。
制御信号送信ユニット２は、無線式電源制御ユニット１の入力端子３５０と出力端子３６０との間における電源線の電気的な接続及び切断に関する制御信号を生成し、無線により外部に送信するユニットである。制御信号送信ユニット２は、図４に示すように、センサＳ、無線モジュール４１４’及びアンテナ４１２’を含んでいる。
制御信号送信ユニット２は、センサＳによる検出情報に基づいて上記した制御信号を生成し、該制御信号を外部に送信する（ここでは無線式電源制御ユニット１に向けて送信する。）。
なお、オン／オフの２つの状態を発生させるものは、如何なる態様のものであっても、センサＳとして適用することができる。例えば、物体認識センサなどの他、人為的にオン／オフの２値を発生させる機械的スイッチなどもセンサＳに含まれる。
【００７７】
またなお、実施形態２に係る無線式電源制御システム５においては、制御信号送信ユニット２を単数備えていてもよいし、複数備えていてもよい。また、単数の制御信号送信ユニット２に対し、複数の無線式電源制御ユニット１とする構成をとってもよい。
【００７８】
２．実施形態２に係る無線式電源制御システム５の動作、効果
（１）ペアリング
上記したように、実施形態２に係る無線式電源制御システム５において、制御信号送信ユニット２の数と、無線式電源制御ユニット１の数との関係は、１対１の関係の他に、１対多、多対１及び多対多といった関係もとりうる。
当該無線式電源制御ユニット１が、どの制御信号送信ユニット２に対して反応して電源制御を遂行するかについての対応付け（ペアリング）は、無線式電源制御システム５を運用する前に予め設定しておく必要がある。
ペアリングは如何なる方法によってもよいが、例えば、設定者によって、無線式電源制御ユニット１の押しボタンスイッチ窓２６０《図１（ａ）参照。》を通じて押しボタンスイッチ４１７が所定時間以上押されたものとする（長押し）。この長押しにより、無線式電源制御ユニット１は、動作モードが学習モードに遷移する。その際、表示灯（図示しない。）を利用して、表示灯窓２６２を通じて、設定者に対し動作モードの遷移を知らせることもできる。無線式電源制御ユニット１が学習モードとなっている間に、ペアリングをすべき制御信号送信ユニット２から、ペアリングに関する情報（ユニット識別情報を含む）を送信する。学習モード中の無線式電源制御ユニット１は、送られてきたペアリングに関する情報を取り込み、保持する。
このようなペアリングを予め行っておくことで、当該無線式電源制御ユニット１に何かしらの電波が入感したときに、ペアリングに関する情報（ユニット識別情報を含む）を参照しつつ、当該電波に重畳された制御信号は、自らが反応すべき制御信号であるかどうかを判別することができる。
なお、当該無線式電源制御ユニット１の設定データ、アルゴリズム等は、マイコン４７２に接続された拡張コネクタ４５２経由で外部からアクセスして、これらを更新することができる。
【００７９】
（２）実施形態２に係る無線式電源制御システム５の動作
センサＳをトリガとした負荷の電源制御動作（例として、照明のオン／オフ制御の動作。）の詳細は、上記した「２．実施形態１に係る無線式電源制御ユニット１の設置、使用方法及び動作（２）使用方法及び動作」で説明した内容と同様であるため、ここでの詳細な説明は省略する。
【００８０】
（３）実施形態２に係る無線式電源制御システム５の効果
実施形態２の無線式電源制御システム５によれば、上記した実施形態１の無線式電源制御ユニット１を備えるため、上記した無線式電源制御ユニット１と同様の効果を有する。これにより、実施形態２の無線式電源制御システム５は、小型でスペース効率に優れ、且つ、ノイズへの耐性が高い無線式電源制御システムとなる。
【００８１】
以上、本考案を上記の各実施形態に基づいて説明したが、本考案は上記の各実施形態に限定されるものではない。その趣旨を逸脱しない範囲において種々の態様において実施することが可能であり、例えば、次のような変形も可能である。
【００８２】
（１）上記各実施形態において記載した構成要素の数、材質、形状、位置、大きさ、角度、電圧、電流等は例示であり、本考案の効果を損なわない範囲において変更することが可能である。
【００８３】
（２）各実施形態に係る無線式電源制御ユニット１において、第１電源Ｐ１としてＡＣ１００単相を適用した例を示したが、本考案はこれに限定されるものではない。例えば、ＡＣ２００Ｖを適用してもよい。
また、実施形態１に係る無線式電源制御ユニット１において、第２電源Ｐ２は第１電源Ｐ１と同電圧・同相の電源（ＡＣ１００Ｖ単相）とする例を示したが、本考案はこれに限定されるものではない。第２電源Ｐ２が第１電源Ｐ１よりも降圧される構成としてもよい。例えば、第１電源Ｐ１をＡＣ２００Ｖとした上で第２電源Ｐ２をＡＣ１００Ｖとすることもできるし、第１電源Ｐ１をＡＣ１００Ｖとした上で第２電源Ｐ２を例えばＤＣ２４Ｖとすることもできる。
【００８４】
（３）各実施形態に係る無線式電源制御ユニット１において、第１プリント回路基板３００と第２プリント回路基板４００とは平行に配置した例を示したが、本考案はこれに限定されるものではない。例えば、第１プリント回路基板３００を、第２プリント回路基板４００に対して垂直に配置する構造をとってもよい。
【００８５】
（４）各実施形態に係る無線式電源制御ユニット１において、アンテナ４１２は第２プリント回路基板４００に実装される例を示したが、本考案はこれに限定されるものではない。例えば、第２ケース２００の内側に這わせるように配置する、無線式電源制御ユニット１の外部に外付けする等の構成をとってもよい。
アンテナ４１２を第２プリント回路基板４００上の実装から切り離すことにより、バリエーションをもたせてアンテナの形状、寸法等を変更することが容易となる。これにより、例えば無線式電源制御ユニット１の設置環境に応じたアンテナの最適な選択をすることができる。例えば、無線式電源制御ユニットを壁埋め込みする場合には、アンテナをユニットに内蔵する、例えば、無線式電源制御ユニットが金属部材による筐体で構成されている場合にはアンテナを外付けとする等の選択を適宜行うことができる。
【００８６】
（５）各実施形態に係る無線式電源制御ユニット１において、電源回路３１０にトランスＴ１を導入した実装構造の例を示したが、本考案はこれに限定されるものではない。例えば、トランス以外のデバイスを導入してもよい。
【００８７】
（６）各実施形態に係る無線式電源制御ユニット１において、ユニットの組立にあたりねじを螺合して互いの構成要素を固定する例を示したが、本考案はこれに限定されるものではない。例えば、ねじを用いず、嵌め込みによって第１ケース１００、第２ケース２００、第１プリント回路基板３００、第２プリント回路基板４００等が結合される嵌め込み構造であってもよい。
【００８８】
（７）各実施形態に係る無線式電源制御ユニット１の組立においては、第１ケース１００及び第１プリント回路基板３００による第１サブユニット、第２ケース２００及び第２プリント回路基板４００による第２サブユニット、第１サブユニットと第２サブユニットとの嵌合という順での組立方法を示したが、本考案はこれに限定されるものではない。例えば、第１プリント回路基板３００及び第２プリント回路基板４００及び支柱（スペーサ）によってサブ組立を行った上で、これを第１ケース１００及び第２ケース２００による筐体に格納する組立方法であってもよい。
【００８９】
また、各実施形態に係る無線式電源制御ユニット１においては、第１ケース１００及び第２ケース２００が別体である例を示したが、本考案はこれに限定されるものではない。例えば、上記サブ組をした後に一体的にモールドする方法であってもよく、これも本考案の無線式電源制御ユニット１の均等物とする。
【００９０】
（８）各実施形態における第１ケース１００及び第２ケース２００は、いずれの側部に高さを有する例を示したが、本考案はこれに限定されるものではない。例えば、第１ケース１００及び第２ケース２００のうち、１つは側部の高さがほとんどない蓋状のものであってもよい。
【００９１】
（９）各実施形態においては、開口部１２４を、第１ケース１００の周縁の端部において切欠きを設けることによって構成する例を示したが、これに限定されるものではない。例えば、開口部を、第１ケース１００の部材に囲まれた独立した穴状に設けるように構成してもよいし、第１ケース１００に開口の一部を形成する切欠きを設け、且つ、第２ケース２００にも開口の一部を形成する切り欠けを設けるように構成してもよい。
また、各実施形態においては、入力端子３５０用の開口と出力端子３６０用の開口とを別々に設けたが、本考案はこれに限定されるものではない。例えば、入力端子３５０用の開口と出力端子３６０用の開口とを兼ねる一の開口部を設けるように構成してもよい。
【００９２】
（１０）実施形態１に係る無線式電源制御ユニット１を設置するにあたり、プレート枠２０、ねじ３０、ねじ４０、ねじ孔２５２及び長穴２５３を用いた例を示したが、本考案はこれに限定されるものではない。埋め込みに用いる部材及び埋め込みの方法はこれに限られず、適宜別に選択することができる。
また、実施形態１に係る無線式電源制御ユニット１を設置するにあたり、プレート５０で覆う例を示したが、本考案はこれに限定されるものではない。プレート５０を覆わないで設置を完了することもできる。
【００９３】
（１１）各実施形態において、無線式電源制御ユニット１の設置先として壁を想定して説明したが、本考案はこれに限定されるものではない。この他に天井、柱等に設置することができる。また、屋内配線が這う天井裏においても設置することができる。また、屋外の壁においても設置することができる。
【符号の説明】
【００９４】
１…無線式電源制御ユニット、２…制御信号送信ユニット、５…無線式電源制御システム、１０…壁、１１…収容部、１２…雌ねじ、２０…プレート枠、２１…ねじ孔、３０，４０，５００，５０１，５１０…ねじ、５０…プレート、６０，７０…電源線、１００…第１ケース、１１０…第１ケース底部、１１２…第１ケース内底面、１２４…開口部、２００…第２ケース、２１０…第２ケース底部、２１２…第２ケース内底面、２３０…支柱、２４０…第２ケース本体、２５０…ユニット取付部、２５２…ねじ孔、２５３…長穴、２６０…押しボタンスイッチ窓、２６２…表示灯窓、３００…第１プリント回路基板、３１０…電源回路、３１２…変圧回路、３１４…：整流回路、３１６…平滑回路、３２０…リレー、３２０ａ…リレーコイル、３２０ｂ…リレー接点、３４０，４５０…コネクタ、３５０…入力端子、３６０…出力端子、４００…第２プリント回路基板、４１０…制御回路、４１２，４１２'…アンテナ、４１４，４１４’…無線モジュール、４１６…フォトリレー、４１６ａ…フォトリレーの一次側の発光ダイオード、４１６ｂ…フォトリレーの二次側の出力トランジスタ、４１７…押しボタンスイッチ、４３０…レギュレータ、４５２…拡張コネクタ、４６０…貫通穴、４７０…受信回路、４７２…マイコン、４７４…メモリ、４７６…Ｉ／Ｏ、４８０…ＧＮＤパターン
【図１】
0003206882.tif 000003
【図２】
0003206882.tif 000004
【図３】
0003206882.tif 000005
【図４】
0003206882.tif 000006
【図５】
0003206882.tif 000007
【図６】
0003206882.tif 000008